(57)【要約】【課題】テレビ電話着信応答時に、相手先の状況に応じた自画像の送信制御が可能なテレビ電話装置及びテレビ電話装置の着信応答方法を提供する。【解決手段】テレビ電話着信応答時に、相手先の電話番号が電話帳１３に登録されているかどうか判定し、電話帳１３に登録されていれば、受信した画像及び音声を夫々解析し、画像解析結果から発信者以外の人物が映っていなく、また発信者側に画面を覗き込んでいる人物が映っていなく、更に音声解析結果から発信者が公衆の場にいなければ、ユーザの自画像を送信し、一方、相手先の電話番号が電話帳１３に登録されていない場合、発信者以外の人物が映っている場合、発信者側に画面を覗き込んでいる人物が映っている場合、発信者が公衆の場にいる場合のいずれかが１つでも該当すると代替画像を送信する。これにより、相手先の状況に応じた自画像の送信制御が可能となり、プライバシー保護が図れる。【選択図】図１
2009065620.tif 000002
【特許請求の範囲】
【請求項１】
相手先の電話番号を登録保存する電話番号登録保存手段と、
前記電話番号登録保存手段に登録保存された電話番号に対応する個人を特定できる画像を登録保存する画像登録保存手段と、
前記相手先からの受信画像を解析して前記相手先の人物以外の人物の有無を認識する画像認識手段と、
ユーザを撮像する撮像手段と、
前記撮像手段で撮像されるユーザの自画像とは異なる代替画像を保存する代替画像保存手段と、
前記画像認識手段の認識結果に基づいて前記ユーザの自画像を送信するか前記代替画像を送信するかを判定する受信制御手段と、
前記受信制御手段で前記ユーザの自画像を送信すると判定された場合は前記撮像手段で撮像された前記ユーザの自画像を前記相手先に送信し、前記代替画像を送信すると判定された場合は前記代替画像保存手段で保存された前記代替画像を前記相手先に送信する送信制御手段と、
を備えるテレビ電話装置。
【請求項２】
前記相手先からの受信画像を解析して相手側に画面を覗き込んでいる人物の有無を認識する視線認識手段を備え、前記受信制御手段は、前記画像認識手段の認識結果及び前記視線認識手段の認識結果の少なくともいずれか一に基づいて前記ユーザの自画像を送信するか前記代替画像を送信するかを判定する請求項１に記載のテレビ電話装置。
【請求項３】
相手先の電話番号を登録保存する電話番号登録保存手段と、
前記電話番号登録保存手段に登録保存された電話番号に対応する個人を特定できる画像を登録保存する画像登録保存手段と、
前記相手先からの受信音声を解析して前記相手先の人物のいる場所が屋内か屋外かを認識する音声認識手段と、
ユーザを撮像する撮像手段と、
前記撮像手段で撮像されるユーザの自画像とは異なる代替画像を保存する代替画像保存手段と、
前記音声認識手段の認識結果に基づいて前記ユーザの自画像を送信するか前記代替画像を送信するかを判定する受信制御手段と、
前記受信制御手段で前記ユーザの自画像を送信すると判定された場合は前記撮像手段で撮像された前記ユーザの自画像を前記相手先に送信し、前記代替画像を送信すると判定された場合は前記代替画像保存手段で保存された前記代替画像を前記相手先に送信する送信制御手段と、
を備えるテレビ電話装置。
【請求項４】
前記相手先からの受信画像を解析して相手側に画面を覗き込んでいる人物の有無を認識する視線認識手段を備え、前記受信制御手段は、前記音声認識手段の認識結果及び前記視線認識手段の認識結果の少なくともいずれか一に基づいて前記ユーザの自画像を送信するか前記代替画像を送信するかを判定する請求項３に記載のテレビ電話装置。
【請求項５】
相手先の電話番号を登録保存する電話番号登録保存手段と、
前記電話番号登録保存手段に登録保存された電話番号に対応する個人を特定できる画像を登録保存する画像登録保存手段と、
前記相手先からの受信画像を解析して前記相手先の人物以外の人物の有無を認識する画像認識手段と、
前記相手先からの受信音声を解析して前記相手先の人物のいる場所が屋内か屋外かを認識する音声認識手段と、
ユーザを撮像する撮像手段と、
前記撮像手段で撮像されるユーザの自画像とは異なる代替画像を保存する代替画像保存手段と、
前記画像認識手段の認識結果及び前記音声認識手段の認識結果の少なくともいずれか一方に基づいて前記ユーザの自画像を送信するか前記代替画像を送信するかを判定する受信制御手段と、
前記受信制御手段で前記ユーザの自画像を送信すると判定された場合は前記撮像手段で撮像された前記ユーザの自画像を前記相手先に送信し、前記代替画像を送信すると判定された場合は前記代替画像保存手段で保存された前記代替画像を前記相手先に送信する送信制御手段と、
を備えるテレビ電話装置。
【請求項６】
前記相手先からの受信画像を解析して相手側に画面を覗き込んでいる人物の有無を認識する視線認識手段を備え、前記受信制御手段は、前記画像認識手段の認識結果、前記音声認識手段の認識結果及び前記視線認識手段の認識結果の少なくともいずれか一に基づいて前記ユーザの自画像を送信するか前記代替画像を送信するかを判定する請求項５に記載のテレビ電話装置。
【請求項７】
相手先の電話番号を登録保存する電話番号登録保存工程と、
前記電話番号登録保存工程で登録保存された電話番号に対応する個人を特定できる画像を登録保存する画像登録保存工程と、
前記相手先からの受信画像を前記画像登録保存工程で登録保存された画像と比較することにより解析して前記相手先の人物以外の人物の有無を認識する画像認識工程と、
カメラで撮像されるユーザの自画像とは異なる代替画像を保存する代替画像保存工程と、
前記画像認識工程での認識結果に基づいて前記ユーザの自画像を送信するか前記代替画像を送信するかを判定する受信制御工程と、
前記受信制御工程で前記ユーザの自画像を送信すると判定された場合は前記ユーザの自画像を前記相手先に送信し、前記受信制御工程で前記代替画像を送信すると判定された場合は保存されている前記代替画像を前記相手先に送信する送信制御工程と、
を備えるテレビ電話装置の着信応答方法。
【請求項８】
相手先の電話番号を登録保存する電話番号登録保存工程と、
前記電話番号登録保存工程で登録保存された電話番号に対応する個人を特定できる画像を登録保存する画像登録保存工程と、
前記相手先からの受信音声を解析して前記相手先の人物のいる場所が屋内か屋外かを認識する音声認識工程と、
カメラで撮像されるユーザの自画像とは異なる代替画像を保存する代替画像保存工程と、
前記音声認識工程での認識結果に基づいて前記ユーザの自画像を送信するか前記代替画像を送信するかを判定する受信制御工程と、
前記受信制御工程で前記ユーザの自画像を送信すると判定された場合は前記ユーザの自画像を前記相手先に送信し、前記受信制御工程で前記代替画像を送信すると判定された場合は保存されている前記代替画像を前記相手先に送信する送信制御工程と、
を備えるテレビ電話装置の着信応答方法。
【請求項９】
相手先の電話番号を登録保存する電話番号登録保存工程と、
前記電話番号登録保存工程で登録保存された電話番号に対応する個人を特定できる画像を登録保存する画像登録保存工程と、
前記相手先からの受信画像を前記画像登録保存工程で登録保存された画像と比較することにより解析して前記相手先の人物以外の人物の有無を認識する画像認識工程と、
前記相手先からの受信音声を解析して前記相手先の人物のいる場所が屋内か屋外かを認識する音声認識工程と、
カメラで撮像されるユーザの自画像とは異なる代替画像を保存する代替画像保存工程と、
前記画像認識工程での認識結果及び前記音声認識工程での認識結果の少なくともいずれか一方に基づいて前記ユーザの自画像を送信するか前記代替画像を送信するかを判定する受信制御工程と、
前記受信制御工程で前記ユーザの自画像を送信すると判定された場合は前記ユーザの自画像を前記相手先に送信し、前記受信制御工程で前記代替画像を送信すると判定された場合は保存されている前記代替画像を前記相手先に送信する送信制御工程と、
を備えるテレビ電話装置の着信応答方法。
【発明の詳細な説明】
【技術分野】
【０００１】
本発明は、画像認識、音声認識等の通信相手を認識できる機能を有するテレビ電話装置及びテレビ電話装置の着信応答方法に関する。
【背景技術】
【０００２】
従来のテレビ電話装置には、プライバシー保護の目的で、通信相手の電話番号を電話帳に登録されている電話番号と比較することによって信頼性を判別し、テレビ電話着信応答時に、信頼できる相手の場合には自分のカメラで撮像した画像（自画像）を送信し、信頼できない相手の場合には自画像を送信しないか、あるいは代替画像を送信するようにしたものがある。
【０００３】
特許文献１には、テレビ電話着信応答時に発信者の電話番号が電話帳に登録されているかどうか判定し、電話帳に登録されていれば、その電話番号に関連付けられている着信時の応答方法に基づいて自装置から相手装置へ画像と音声の送信を行う技術が開示されている。
【０００４】
【特許文献１】特開２００４−３１２６３４号公報
【発明の開示】
【発明が解決しようとする課題】
【０００５】
しかしながら、テレビ電話装置のなかでも、持ち運び可能なもの（テレビ電話機能を有する携帯端末）にあっては、該装置が不正利用されていたり、通信相手がいる場所や通信相手が複数の人物と一緒なのか、などといった相手の状況が分からないときに、電話番号のみで自画像の送信を判断すると、意図しない相手に自画像や身の回りの画像が送信されてしまい、プライバシーの侵害につながる可能性がある。
【０００６】
本発明は、係る事情に鑑みてなされたものであり、テレビ電話着信応答時に、相手先の状況に応じた自画像の送信制御が可能なテレビ電話装置及びテレビ電話装置の着信応答方法を提供することを目的とする。
【課題を解決するための手段】
【０００７】
本発明のテレビ電話装置は、相手先の電話番号を登録保存する電話番号登録保存手段と、前記電話番号登録保存手段に登録保存された電話番号に対応する個人を特定できる画像を登録保存する画像登録保存手段と、前記相手先からの受信画像を解析して前記相手先の人物以外の人物の有無を認識する画像認識手段と、ユーザを撮像する撮像手段と、前記撮像手段で撮像されるユーザの自画像とは異なる代替画像を保存する代替画像保存手段と、前記画像認識手段の認識結果に基づいて前記ユーザの自画像を送信するか前記代替画像を送信するかを判定する受信制御手段と、前記受信制御手段で前記ユーザの自画像を送信すると判定された場合は前記撮像手段で撮像された前記ユーザの自画像を前記相手先に送信し、前記代替画像を送信すると判定された場合は前記代替画像保存手段で保存された前記代替画像を前記相手先に送信する送信制御手段と、を備える。
【０００８】
この構成によれば、テレビ電話着信応答時に、相手先の電話番号が番号登録保存手段に登録された電話番号かどうか判定し、番号登録保存手段に登録されていなければ代替画像を送信し、番号登録保存手段に登録されていても、相手先からの受信画像を解析して相手先の人物以外の人物が映っているか否かを認識し、この認識結果に基づいてユーザの自画像を送信するか、代替画像を送信するかを決定するので、相手先の状況に応じた自画像の送信制御が可能となり、プライバシー保護を図ることができる。
【０００９】
また、上記構成において、前記相手先からの受信画像を解析して相手側に画面を覗き込んでいる人物の有無を認識する視線認識手段を備え、前記受信制御手段は、前記画像認識手段の認識結果及び前記視線認識手段の認識結果の少なくともいずれか一方に基づいて前記ユーザの自画像を送信するか前記代替画像を送信する。
【００１０】
この構成によれば、相手側に画面を覗き込んでいる人物の有無を認識するので、相手先の状況を更に詳しく把握することができ、該当する人物がいれば代替画像を送信するので、更なるプライバシー保護が図れる。
【００１１】
本発明のテレビ電話装置は、相手先の電話番号を登録保存する電話番号登録保存手段と、前記電話番号登録保存手段に登録保存された電話番号に対応する個人を特定できる画像を登録保存する画像登録保存手段と、前記相手先からの受信音声を解析して前記相手先の人物のいる場所が屋内か屋外かを認識する音声認識手段と、ユーザを撮像する撮像手段と、前記撮像手段で撮像されるユーザの自画像とは異なる代替画像を保存する代替画像保存手段と、前記音声認識手段の認識結果に基づいて前記ユーザの自画像を送信するか前記代替画像を送信するかを判定する受信制御手段と、前記受信制御手段で前記ユーザの自画像を送信すると判定された場合は前記撮像手段で撮像された前記ユーザの自画像を前記相手先に送信し、前記代替画像を送信すると判定された場合は前記代替画像保存手段で保存された前記代替画像を前記相手先に送信する送信制御手段と、を備える。
【００１２】
この構成によれば、テレビ電話着信応答時に、相手先の電話番号が番号登録保存手段に登録された電話番号かどうか判定し、番号登録保存手段に登録されていなければ代替画像を送信し、番号登録保存手段に登録されていても、相手先からの受信音声を解析して相手先の人物の周囲の状態（屋外、屋内等）を認識し、この認識結果に基づいてユーザの自画像を送信するか、代替画像を送信するかを決定するので、相手先の状況に応じた自画像の送信制御が可能となり、プライバシー保護を図ることができる。
【００１３】
また、上記構成において、前記相手先からの受信画像を解析して相手側に画面を覗き込んでいる人物の有無を認識する視線認識手段を備え、前記受信制御手段は、前記音声認識手段の認識結果及び前記視線認識手段の認識結果の少なくともいずれか一方に基づいて前記ユーザの自画像を送信するか前記代替画像を送信する。
【００１４】
この構成によれば、相手側に画面を覗き込んでいる人物の有無を認識するので、相手先の状況を更に詳しく把握することができ、該当する人物がいれば代替画像を送信するので、更なるプライバシー保護が図れる。
【００１５】
本発明のテレビ電話装置は、相手先の電話番号を登録保存する電話番号登録保存手段と、前記電話番号登録保存手段に登録保存された電話番号に対応する個人を特定できる画像を登録保存する画像登録保存手段と、前記相手先からの受信画像を解析して前記相手先の人物以外の人物の有無を認識する画像認識手段と、前記相手先からの受信音声を解析して前記相手先の人物のいる場所が屋内か屋外かを認識する音声認識手段と、ユーザを撮像する撮像手段と、前記撮像手段で撮像されるユーザの自画像とは異なる代替画像を保存する代替画像保存手段と、前記画像認識手段の認識結果及び前記音声認識手段の認識結果の少なくともいずれか一方に基づいて前記ユーザの自画像を送信するか前記代替画像を送信するかを判定する受信制御手段と、前記受信制御手段で前記ユーザの自画像を送信すると判定された場合は前記撮像手段で撮像された前記ユーザの自画像を前記相手先に送信し、前記代替画像を送信すると判定された場合は前記代替画像保存手段で保存された前記代替画像を前記相手先に送信する送信制御手段と、を備える。
【００１６】
この構成によれば、テレビ電話着信応答時に、相手先の電話番号が番号登録保存手段に登録された電話番号かどうか判定し、番号登録保存手段に登録されていなければ代替画像を送信し、番号登録保存手段に登録されていても、相手先からの受信画像を解析して相手先の人物以外の人物が映っているか否かを認識し、更に相手先からの受信音声を解析して相手先の人物の周囲の状態（屋外、屋内等）を認識し、これらの認識結果に基づいてユーザの自画像を送信するか、代替画像を送信するかを決定するので、相手先の状況に応じた自画像の送信制御が可能となり、プライバシー保護を図ることができる。
【００１７】
また、上記構成において、前記相手先からの受信画像を解析して相手側に画面を覗き込んでいる人物の有無を認識する視線認識手段を備え、前記受信制御手段は、前記画像認識手段の認識結果、前記音声認識手段の認識結果及び前記視線認識手段の認識結果の少なくともいずれか一方に基づいて前記ユーザの自画像を送信するか前記代替画像を送信する。
【００１８】
この構成によれば、相手側に画面を覗き込んでいる人物の有無を認識するので、相手先の状況を更に詳しく把握することができ、該当する人物がいれば代替画像を送信するので、更なるプライバシー保護が図れる。
【００１９】
また、本発明のテレビ電話装置の着信応答方法は、相手先の電話番号を登録保存する電話番号登録保存工程と、前記電話番号登録保存工程で登録保存された電話番号に対応する個人を特定できる画像を登録保存する画像登録保存工程と、前記相手先からの受信画像を前記画像登録保存工程で登録保存された画像と比較することにより解析して前記相手先の人物以外の人物の有無を認識する画像認識工程と、カメラで撮像されるユーザの自画像とは異なる代替画像を保存する代替画像保存工程と、前記画像認識工程での認識結果に基づいて前記ユーザの自画像を送信するか前記代替画像を送信するかを判定する受信制御工程と、前記受信制御工程で前記ユーザの自画像を送信すると判定された場合は前記ユーザの自画像を前記相手先に送信し、前記受信制御工程で前記代替画像を送信すると判定された場合は保存されている前記代替画像を前記相手先に送信する送信制御工程と、を備える。
【００２０】
この方法によれば、テレビ電話着信応答時に、相手先の電話番号が電話帳に登録された電話番号かどうか判定し、電話帳に登録されていなければ代替画像を送信し、電話帳に登録されていても、相手先からの受信画像を解析して相手先の人物以外の人物が映っているか否かを認識し、この認識結果に基づいてユーザの自画像を送信するか、代替画像を送信するかを決定するので、相手先の状況に応じた自画像の送信制御が可能となり、プライバシー保護を図ることができる。
【００２１】
本発明のテレビ電話装置の着信応答方法は、相手先の電話番号を登録保存する電話番号登録保存工程と、前記電話番号登録保存工程で登録保存された電話番号に対応する個人を特定できる画像を登録保存する画像登録保存工程と、前記相手先からの受信音声を解析して前記相手先の人物のいる場所が屋内か屋外かを認識する音声認識工程と、カメラで撮像されるユーザの自画像とは異なる代替画像を保存する代替画像保存工程と、前記音声認識工程での認識結果に基づいて前記ユーザの自画像を送信するか前記代替画像を送信するかを判定する受信制御工程と、前記受信制御工程で前記ユーザの自画像を送信すると判定された場合は前記ユーザの自画像を前記相手先に送信し、前記受信制御工程で前記代替画像を送信すると判定された場合は保存されている前記代替画像を前記相手先に送信する送信制御工程と、を備える。
【００２２】
この方法によれば、テレビ電話着信応答時に、相手先の電話番号が電話帳に登録された電話番号かどうか判定し、電話帳に登録されていなければ代替画像を送信し、電話帳に登録されていても、相手先からの受信音声を解析して相手先の人物の周囲の状態（屋外、屋内等）を認識し、この認識結果に基づいてユーザの自画像を送信するか、代替画像を送信するかを決定するので、相手先の状況に応じた自画像の送信制御が可能となり、プライバシー保護を図ることができる。
【００２３】
本発明のテレビ電話装置の着信応答方法は、相手先の電話番号を登録保存する電話番号登録保存工程と、前記電話番号登録保存工程で登録保存された電話番号に対応する個人を特定できる画像を登録保存する画像登録保存工程と、前記相手先からの受信画像を前記画像登録保存工程で登録保存された画像と比較することにより解析して前記相手先の人物以外の人物の有無を認識する画像認識工程と、前記相手先からの受信音声を解析して前記相手先の人物のいる場所が屋内か屋外かを認識する音声認識工程と、カメラで撮像されるユーザの自画像とは異なる代替画像を保存する代替画像保存工程と、前記画像認識工程での認識結果及び前記音声認識工程での認識結果の少なくともいずれか一に基づいて前記ユーザの自画像を送信するか前記代替画像を送信するかを判定する受信制御工程と、前記受信制御工程で前記ユーザの自画像を送信すると判定された場合は前記ユーザの自画像を前記相手先に送信し、前記受信制御工程で前記代替画像を送信すると判定された場合は保存されている前記代替画像を前記相手先に送信する送信制御工程と、を備える。
【００２４】
この方法によれば、テレビ電話着信応答時に、相手先の電話番号が電話帳に登録された電話番号かどうか判定し、電話帳に登録されていなければ代替画像を送信し、電話帳に登録されていても、相手先からの受信画像を解析して相手先の人物以外の人物が映っているか否かを認識し、更に相手先からの受信音声を解析して相手先の人物の周囲の状態（屋外、屋内等）を認識し、これらの認識結果に基づいてユーザの自画像を送信するか、代替画像を送信するかを決定するので、相手先の状況に応じた自画像の送信制御が可能となり、プライバシー保護を図ることができる。
【発明の効果】
【００２５】
本発明は、相手先の電話番号のみならず、相手先からの受信画像を画像認識した結果及び／又は相手先からの受信音声を音声認識した結果に基づいてユーザの自画像を送信するか、代替画像を送信するかを判定するので、相手先の状況に応じた自画像の送信制御が可能となり、プライバシー保護を図ることができる。
【発明を実施するための最良の形態】
【００２６】
以下、本発明を実施するための好適な実施の形態について、図面を参照して詳細に説明する。
【００２７】
図１は、本発明の一実施の形態に係るテレビ電話装置の概略構成を示すブロック図である。同図において、本実施の形態に係るテレビ電話装置１は、音声認識部１０と、画像認識部１１と、視線認識部１２と、電話番号・画像登録保存部（電話帳）１３と、受信制御部１４と、カメラ１５と、代替画像保存部１６と、送信制御部１７とを備えて構成される。テレビ電話装置１は、回線交換制御装置２によって相手のテレビ電話装置（テレビ電話機能を有する携帯端末を含む）と接続される。テレビ電話装置１は、相手のテレビ電話装置から送信された音声や画像を受信制御部１４で受信し、また自装置からの音声や画像を送信制御部１７から相手のテレビ電話装置へ送信する。
【００２８】
音声認識部１０は、受信制御部１４から入力された相手先からの受信音声を解析し、相手先の人物がいる場所（屋外（公衆の場）、屋内）を認識する。そして、音声認識した結果を受信制御部１４に入力する。
【００２９】
画像認識部１１は、受信制御部１４から入力された相手先からの受信画像を電話番号・画像登録保存部１３に保存されている登録画像（通信相手の自画像）と比較することにより解析し、本人を認識する。また、画像認識部１１は、受信制御部１４から入力された相手先からの受信画像を同様に解析し、相手以外の人物の有無を認識する。そして、画像認識した各結果を受信制御部１４に入力する。
【００３０】
視線認識部１２は、受信制御部１４から入力された相手先からの受信画像を解析し、相手側に画面を覗き込んでいる人物の有無を認識する。そして、視線認識した結果を受信制御部１４に入力する。
【００３１】
電話番号・画像登録保存部１３は、相手先の電話番号や該電話番号に対応する画像（相手の自画像などの相手を特定できる画像）を登録保存する。相手先の電話番号は、相手と通信を行った際に相手のテレビ電話装置（図示略）から送られてくることで登録される。また、テレビ電話装置１のユーザが手動で登録することも可能である。また、相手先の画像については、相手と通信を行った際に相手のテレビ電話装置（図示略）から送られてくることで登録される。また、過去にカメラ１５によって撮影した相手を特定できる画像をテレビ電話装置１のユーザが手動で登録することも可能である。
【００３２】
受信制御部１４は、着信応答時に相手先の電話番号が電話番号・画像登録保存部１３に登録保存されているかどうかを判定し、その判定結果に基づいて送信制御部１７に送信画像の種別を通知する。すなわち、相手先の電話番号が電話番号・画像登録保存部１３に登録されていない場合は、受信制御部１４は、テレビ電話装置１のユーザの自画像ではなく、その代替画像を送信するように送信制御部１７に通知する。これに対し、相手先の電話番号が電話番号・画像登録保存部１３に登録されている場合は、受信制御部１４は、音声認識部１０、画像認識部１１及び視線認識部１２それぞれの認識結果に基づいて送信制御部１７に送信画像の種別を通知する。すなわち、画像認識部１１で相手以外の人物が映っていることが認識された場合、視線認識部１２で相手側に画面を覗き込んでいる人物がいることが認識された場合、音声認識部１０で相手が屋外（公衆の場）にいることが認識された場合のいずれか１つでも該当すると、受信制御部１４は、代替画像を送信するように送信制御部１７に通知する。一方、相手先の電話番号が電話番号・画像登録保存部１３に登録されていて、相手以外の人物は映っておらず、また相手側に画面を覗き込んでいる人物もおらず、更に相手が公衆の場にいない場合は、受信制御部１４は、テレビ電話装置１のユーザの自画像を送信するように送信制御部１７に通知する。
【００３３】
カメラ１５は、ＣＣＤ（Charge Coupled Device）やＣＭＯＳ（Complementary Metal Oxide Semiconductor）等の撮像素子を用いたカメラであり、テレビ電話装置１のユーザの自画像をはじめとする様々な被写体を撮像する。
【００３４】
代替画像保存部１６は、テレビ電話装置１のユーザの自画像に代わる画像を保存する。
【００３５】
送信制御部１７は、相手のテレビ電話装置（図示略）に画像を送信するための制御を行う。この場合、通常はカメラ１５で撮像された画像を送信し、受信制御部１４から代替画像を送信する旨の通知があると、カメラ１５で撮像された画像に替わって代替画像保存部１６に保存されている画像（代替画像）を読み出して送信する。
【００３６】
なお、音声認識部１０は音声認識手段に対応し、画像認識部１１は画像認識手段に対応し、視線認識部１２は視線認識手段に対応する。また、電話番号・画像登録保存部１３は電話番号登録保存手段と画像登録保存手段に対応する。また、受信制御部１４は受信制御手段に対応し、カメラ１５は撮像手段に対応し、代替画像保存部１６は代替画像保存手段に対応し、送信制御部１７は送信制御手段に対応する。
【００３７】
次に、図２に示すフロー図を参照して本実施の形態のテレビ電話装置１における着信応答処理について説明する。このフロー図は、テレビ電話着信後にテレビ電話装置１のユーザがテレビ電話を受けることを決定した後の処理を示している。なお、テレビ電話装置１に着信があるので、相手を「発信者」と呼ぶこととする。
【００３８】
図２において、まずテレビ電話着信後に発信者番号（すなわち電話番号）を受信制御部１４にて取得する（ステップＳＴ１０）。この発信者番号は、発信元のテレビ電話装置（図示略）から送られてくる。発信者番号を取得した後、電話番号・画像登録保存部１３を参照して、受信制御部１４にて発信者の電話番号が電話帳に登録されているかどうか判定する（ステップＳＴ１１）。この判定において、発信者の電話番号が電話帳に登録されていなければ、代替画像保存部１６に保存されている画像（代替画像）を送信制御部１７にて読み出して送信する（ステップＳＴ１２）。これに対して、発信者の電話番号が電話帳に登録されていれば、受信した画像及び音声を画像認識部１１及び音声認識部１０にてそれぞれ解析する（ステップＳＴ１３）。
【００３９】
受信した画像及び音声の解析を行った後、発信者以外の人物が映っているかどうか受信制御部１４にて判定する（ステップＳＴ１４）。この判定において、発信者以外の人物が映っている場合は、ステップＳＴ１２で代替画像を送信し、発信者以外の人物が映っていない場合は、発信者側に画面を覗き込んでいる人物が映っているかどうか視線認識部１２及び受信制御部１４にて判定する（ステップＳＴ１５）。この判定において、発信者側に画面を覗き込んでいる人物が映っている場合は、ステップＳＴ１２で代替画像を送信し、発信者側に画面を覗き込んでいる人物が映っていない場合は、音声認識部１０による音声の解析結果から発信者が公衆の場（すなわち屋外）にいるかどうか受信制御部１４にて判定する（ステップＳＴ１６）。この判定において、発信者が公衆の場にいる場合は、ステップＳＴ１２で代替画像を送信し、発信者が公衆の場にいない場合は、カメラ１５で撮像したテレビ電話装置１のユーザの自画像を送信制御部１７から送信する（ステップＳＴ１７）。テレビ電話装置１のユーザの自画像を送信した後、本処理を終了する。
【００４０】
このように、本実施の形態に係るテレビ電話装置１によれば、テレビ電話着信応答時に、相手先の電話番号が電話帳に登録されているかどうか判定し、電話帳に登録されていれば、相手先からの受信画像及び音声をそれぞれ解析し、画像解析結果から発信者以外の人物が映っていなく、また発信者側に画面を覗き込んでいる人物が映っていなく、更に音声解析結果から発信者が公衆の場にいなければ、テレビ電話装置１のユーザの自画像を送信し、それ以外の場合、すなわち相手先の電話番号が電話帳に登録されていない場合、発信者以外の人物が映っている場合、発信者側に画面を覗き込んでいる人物が映っている場合、発信者が公衆の場にいる場合のいずれか１つでも該当すれば代替画像を送信する。したがって、テレビ電話着信応答時に、相手先の状況に応じた自画像の送信制御が可能となり、プライバシー保護が図れる。
【００４１】
なお、上記実施の形態では、「発信者以外の人物が映っているか」、「発信者側に画面を覗き込んでいる人物が映っているか」、「発信者は公衆の場にいるか」の各判断によって自動的に送信画像を切り替えるようにしたが、これらの判断をテレビ電話装置１のユーザが行って、ユーザ自身の手動操作によって送信画像の切り替えを行うようにしても良い。この手動操作のみとした場合には、コストダウンが図れる。
【産業上の利用可能性】
【００４２】
本発明は、テレビ電話着信応答時に、相手先の状況に応じた自画像の送信制御ができるといった効果を有し、テレビ電話装置やテレビ電話機能を有する携帯端末などへの適用が可能である。
【図面の簡単な説明】
【００４３】
【図１】本発明の一実施の形態に係るテレビ電話装置の概略構成を示すブロック図
【図２】図１のテレビ電話装置における着信応答処理を説明するためのフロー図
【符号の説明】
【００４４】
１  テレビ電話装置
２  回線交換制御装置
１０  音声認識部
１１  画像認識部
１２  視線認識部
１３  電話番号・画像登録保存部（電話帳）
１４  受信制御部
１５  カメラ
１６  代替画像保存部
１７  送信制御部
【図１】
2009065620.tif 000003
【図２】
2009065620.tif 000004